(57)【要約】【課題】ワイヤーを用いなくともカップ内からバストがはみ出るのを防止できる、バストアップ効果が高く、バストの形態保持性や着用感に優れたブラジャーを提供する。【解決手段】左右のバストに対応する２つのカップ１２と、カップ１２の脇側縁から延びるサイドパネル１６と、カップ１２およびサイドパネル１６に接続された肩紐２２とで構成されたブラジャー１０において、カップ１２裏面の下側端縁に沿って非伸縮性で且つ柔軟なサポートテープ１８を縫着すると共に、略半円状に成形した伸縮性の布帛からなるサポート生地２０をカップ１２の裏面側に浮かせた状態でサポートテープ１８に沿って縫着したことを特徴とする。【選択図】図１
2008121126.tif 000002
【特許請求の範囲】
【請求項１】
左右のバストに対応する２つのカップと、カップの脇側縁から延びるサイドパネルと、前記カップおよび前記サイドパネルに接続された肩紐とで構成されたブラジャーにおいて、
前記カップ裏面の下側端縁に沿って非伸縮性で且つ柔軟なサポートテープが縫着されると共に、
略半円状に成形した伸縮性の布帛からなるサポート生地が、前記カップの裏面側に浮かせた状態で前記サポートテープに沿って縫着されていることを特徴とするブラジャー。
【請求項２】
略三角形状に成形した伸縮性の布帛からなる脇側サポート生地が、前記カップの裏面側に浮かせた状態で前記カップの下端部から肩紐にかけて縫着されていることを特徴とする請求項１に記載のブラジャー。
【請求項３】
前記サポートテープが起毛素材で構成されていることを特徴とする請求項１又は２に記載のブラジャー。
【発明の詳細な説明】
【技術分野】
【０００１】
本発明は、バストを理想の形にバストアップして保持することができる、補整機能を備えたブラジャーに関する。
【背景技術】
【０００２】
バストを覆う左右のカップと、左右のカップの下部を連結する支持帯部とを備えたブラジャーは、バストを押さえて支持することを主たる機能としているが、近年では、バストの美しさを強調するため、バストを押さえて支持するのではなく、逆に前方へと膨出させてボリュームアップして見えるように補整する(いわゆるバストアップ)機能が要求されている。
【０００３】
しかしながら、バストはその自重により下方へと垂れる傾向があるため、バストアップを図るには、バストの下方への垂れを抑制してカップの中に収めると共に、これを上方へと引き上げる機能が必要である。
【０００４】
そこで、従来より、前述のようなバストアップ機能を発揮させるため、ブラジャーのカップ本体の下端縁に沿ってワイヤーを装着する技術が知られている。このようなワイヤーを装着することによって、自重で下方へと垂れるバストがカップからはみ出ないよう(カップ内に)収容でき、これを肩紐で吊り上げることによってバストアップを図ることができる。
【０００５】
しかしながら、このようなワイヤーを装着したブラジャーを着用すると、硬いワイヤーがアンダーバストに常に押し当てられた状態となるため、着用者が苦痛を感じたり、着用者の身体にワイヤー跡が残るといった問題があった。
【０００６】
このため、かかる問題を解決し得る技術として、ワイヤーをカップの表面(肌に接しない面)側に装着する技術（例えば、特許文献１参照。）や、ワイヤーをカップの下端縁に挿入する技術（例えば、特許文献２参照。）が提案されている。
【特許文献１】特開平０６−１９２９０３号公報
【特許文献２】特開平０７−１３３５０３号公報
【発明の開示】
【発明が解決しようとする課題】
【０００７】
ワイヤーをカップの表面側に装着する技術や、ワイヤーをカップの下端縁に挿入する技術によれば、着用者の苦痛や身体に残るワイヤー跡をある程度軽減することができる。しかしながら、これら何れの技術においてもカップの下端縁に硬いワイヤーが装着されていることに変わりはなく、このようなブラジャーを長時間連続して着用し続けた場合、依然として着用者が苦痛を感じたり、着用者の身体にワイヤー跡が残るといった問題が生じる可能性がある。
【０００８】
それゆえ、本発明の主たる課題は、ワイヤーを用いなくともカップ内からバストがはみ出るのを防止でき、バストアップ効果が高く、バストの形態保持性や着用感に優れたブラジャーを提供することである。
【課題を解決するための手段】
【０００９】
請求項１に記載した発明は、「左右のバストに対応する２つのカップ１２と、カップ１２の脇側縁から延びるサイドパネル１６と、カップ１２およびサイドパネル１６に接続された肩紐２２とで構成されたブラジャー１０において、カップ１２裏面の下側端縁に沿って非伸縮性で且つ柔軟なサポートテープ１８が縫着されると共に、略半円状に成形した伸縮性の布帛からなるサポート生地２０が、カップ１２の裏面側に浮かせた状態でサポートテープ１８に沿って縫着されている」ことを特徴とするブラジャー１０である。
【００１０】
この発明では、カップ１２をバストに押し当てると、バストの下側部に当接するサポート生地２０がカップ１２の裏面に密着するように伸ばされる。そうすると、伸縮性の布帛で形成されたサポート生地２０の弾性回復力(反発力)が非伸縮性のサポートテープ１８に与えられ、カップ１２裏面の下側端縁に沿って縫着された(換言すると、略円弧状にて取り付けられた)サポートテープ１８がその曲率半径を減少させる方向へと引っ張られるようになる。このため、カップ１２内からはみ出ようとするバストに対してこのサポートテープ１８がカップ１２内に向けて押し戻すように作用する。つまり、ブラジャー１０のカップ１２下側縁にワイヤーを装着しなくとも、サポート生地２０とサポートテープ１８とが協働することによって、従来のワイヤーと同等の作用・効果を奏することができる。
【００１１】
また、サポートテープ１８は柔軟な素材で形成されているため、従来のワイヤーのように着用者に苦痛を与えることがなく、また、着用者の身体にワイヤー跡が残る心配もない。
【００１２】
請求項２に記載した発明は、請求項１に記載のブラジャーにおいて、「略三角形状に成形した伸縮性の布帛からなる脇側サポート生地２８が、カップ１２の裏面側に浮かせた状態でカップ１２の下端部から肩紐２２にかけて縫着されている」ことを特徴とする。
【００１３】
この発明では、カップ１２をバストに押し当てると、バストの脇側部に当接する脇側サポート生地２８がカップ１２の裏面に密着するように伸ばされる。そうすると、伸縮性の布帛で形成された脇側サポート生地２８の弾性回復力(反発力)がバストに与えられるようになる。この結果、カップ１２の下端部から脇側縁を通り肩紐２２にかけて縫着された脇側サポート生地２８の接するバストの脇側部が体幹側に絞り込まれると共に上方へと持ち上げられるようになり(いわゆる「寄せて上げる」効果)、上述した請求項１に記載の発明の効果と相俟ってバストをより一層立体的に補正することができる。
【００１４】
請求項３に記載した発明は、請求項１又は２に記載のブラジャーにおいて、「サポートテープ１８が起毛素材で構成されている」ことを特徴とするもので、これにより、バストに装着したカップ１２がずれるのを防止できると共に、起毛の毛細管現象によってサポートテープ１８が密着した肌の部分の汗を当該サポートテープ１８で吸収することができ、ブラジャー１０の着け心地をより一層向上させることができる。
【発明の効果】
【００１５】
請求項１〜３に記載した発明によれば、ワイヤーを用いなくともカップ内からバストがはみ出るのを防止でき、バストアップ効果が高く、バストの形態保持性や着用感に優れたブラジャーを提供することができる。
【発明を実施するための最良の形態】
【００１６】
以下、本発明を図示実施例に従って説明する。図１は本発明の一実施例(第１実施例)のブラジャー１０の裏面(すなわち身体に接触する側の面)を示す図であり、図２は図１におけるＡ−Ａ端面図である。これらの図が示すように、本実施例のブラジャー１０は、大略、左右一対のカップ１２、カップ１２同士を連結する連結部１４、カップ１２の脇側縁から延びるサイドパネル１６、カップ裏面の下側端縁に沿って縫着されたサポートテープ１８、カップ１２の裏面から浮かせた状態でカップの下端側に取り付けられたサポート生地２０、およびカップ１２とサイドパネル１６に接続された肩紐２２などで構成されている。
【００１７】
カップ１２は、上カップ部１２ａと、脇カップ部１２ｂと、下カップ部１２ｃとによって立体縫製されており、一対のカップ１２同士が連結部１４を介して左右に連結されている。
【００１８】
サイドパネル１６は、伸縮性の繊維素材によって形成された帯状部材であり、サイドパネル１６の一端がカップ１２の脇側縁に縫い付けられている。そして、一方のサイドパネル１６の他端には、係止具２４が取り付けられており、他方のサイドパネル２０の他端には、係止具２４に係止されるフック２６が取り付けられている。
【００１９】
サポートテープ１８は、非伸縮性の繊維素材によって形成された柔軟なテープ状部材であり、カップ１２の下端縁に沿って略円弧状に縫着されている。
【００２０】
ここで、このサポートテープ１８を構成する繊維素材としては、別珍，コットンネル，ベルベット，ビロードなどの起毛素材を用いるのが特に好ましい。このような起毛素材を用いることによって、バストに装着したカップがずれるのを防止できると共に、起毛の毛細管現象によってサポートテープが密着した部分の汗を当該サポートテープで吸収することができ、ブラジャーの着け心地を向上させることができるからである。
【００２１】
サポート生地２０は、伸縮性の布帛を略半円状に成形した部材であり、カップ１２の裏面側に浮かせた状態で配置されると共に(図２参照)、サポートテープ１８の端部同士を連結するようにサポートテープ１８に沿って縫着されている。
【００２２】
このサポート生地２０に用いられる伸縮性の布帛としては、トリコットやジャージーなどのメリヤス編みの布帛が好適であり、また、その素材としては吸汗性に優れた綿(コットン)を含むものが好適である。サポート生地２０としてこのような布帛を用いることによってブラジャー１０の着け心地をより一層向上させることができるからである。
【００２３】
また、サポート生地２０の大きさは、最も伸張した際の面積が、サポートテープ１８で囲まれたカップ１２裏面下端部の表面積と略等しくなるように設計されている。こうすることによってサポート生地２０が最大限伸張した場合であっても、カップ１２が型崩れを起こす心配はない。
【００２４】
なお、本実施例では、サポート生地２０として、綿を含む薄手のトリコット生地２０ａを略円形に断裁すると共にこれを二つ折りにした物を使用しており、このサポート生地２０をサポートテープ１８と共に、カップ１２の下端縁に沿って略円弧状に縫着している。
【００２５】
また、二つ折りにしたトリコット生地２０ａの間には、サポートテープ１８の端部同士を連結するようにテープ状のゴム紐２０ｂが取り付けられており、これによりサポート生地２０全体の伸縮性が調節されている。
【００２６】
肩紐２２は、カップ部１２およびサイドパネル２０の位置ずれを防止すると共に、カップ１２に収容したバストを持ち上げて保持するものであり、肩紐２２の一端が上カップ部１２ａに接続されており、他端が背中側に位置するサイドパネル１６の上側縁に接続されている。これにより、肩紐２２の吊上げ力をカップ１２に直接作用させることができる。
【００２７】
ブラジャー１０を装着した状態では、図３に示すように、バストＢの下側部に当接するサポート生地２０がカップ１２の裏面に密着するように伸ばされる。
【００２８】
本実施例によれば、カップ１２裏面の下側端縁に沿って非伸縮性で且つ柔軟なサポートテープ１８が縫着されると共に、略半円状に成形した伸縮性の布帛からなるサポート生地２０が、カップ１２の裏面側に浮かせた状態でサポートテープ１８に沿って縫着されているので、上述のようにサポート生地２０が伸ばされると、サポート生地２０の弾性回復力(反発力)が非伸縮性のサポートテープ１８に与えられ、カップ１２裏面の下側端縁に沿って略円弧状に縫着されたサポートテープ１８がその曲率半径を減少させる方向へと引っ張られるようになる。このため、カップ１２内からはみ出ようとするバストＢに対してこのサポートテープ１８がカップ１２内に向けて押し戻すように作用する。つまり、ブラジャー１０のカップ１２下側縁にワイヤーを装着しなくとも、サポート生地２０とサポートテープ１８とが協働することによって、従来のワイヤーと同等の作用・効果を奏することができる。
【００２９】
また、サポートテープ１８は柔軟な素材で形成されているため、従来のワイヤーのように着用者に苦痛を与えることがなく、また、着用者の身体にワイヤー跡が残る心配もない。
【００３０】
次に、図４に示す第２実施例について説明する。上述した第１実施例のブラジャー１０と異なる点は、「略三角形状に成形した伸縮性の布帛からなる脇側サポート生地２８が、カップ１２の裏面側に浮かせた状態でカップ１２の下端部から肩紐２２にかけて縫着されている」点である。なお、これ以外の部分は前記第１実施例と同じであるので、前記第１実施例の説明を援用して本実施例の説明に代える。
【００３１】
脇側サポート生地２８は、伸縮性の布帛を略三角形状に成形した部材であり、カップ１２の裏面側に浮かせた状態で配置されると共に、カップ１２の下端部と肩紐２２の一端部とを連結するようにカップ１２の下端部から(脇側部を経て)肩紐２２にかけて縫着されている。
【００３２】
このサポート生地２０に用いられる伸縮性の布帛としては、上述のサポート生地２０と同様に、トリコットやジャージーなどのメリヤス編みの布帛が好適であり、また、その素材としては吸汗性に優れた綿(コットン)を含むものが好適である。脇側サポート生地２０としてこのような布帛を用いることによってブラジャー１０の着け心地をより一層向上させることができるからである。
【００３３】
本実施例のブラジャー１０によれば、カップ１２をバストに押し当てると、バストの脇側部に当接する脇側サポート生地２８がカップ１２の裏面に密着するように伸ばされる。そうすると、伸縮性の布帛で形成された脇側サポート生地２８の弾性回復力(反発力)がバストに与えられるようになる。この結果、カップ１２の下端部から脇側縁を通り肩紐２２にかけて縫着された脇側サポート生地２８の接するバストの脇側部が体幹側に絞り込まれると共に上方へと持ち上げられるようになり(いわゆる「寄せて上げる」効果)、上述した第１実施例の効果と相俟ってバストをより一層立体的に補正することができる。
【図面の簡単な説明】
【００３４】
【図１】本発明の一実施例(第１実施例)のブラジャーの裏面を示した図である。
【図２】図１におけるＡ−Ａ線端面図である。
【図３】本発明のブラジャーの着用状態を示すＡ−Ａ線端面図である。
【図４】本発明の他の実施例(第２実施例)のブラジャーの裏面を示した図である。
【符号の説明】
【００３５】
１０…ブラジャー
１２…カップ
１４…連結部
１６…サイドパネル
１８…サポートテープ
２０…サポート生地
２２…肩紐
２４…係止具
２６…フック
２８…脇側サポート生地
【図１】
2008121126.tif 000003
【図２】
2008121126.tif 000004
【図３】
2008121126.tif 000005
【図４】
2008121126.tif 000006